(57)【要約】【課題】一部が破損しても破損した部分のみを交換することができる縁石を提供することである。【解決手段】部分的に地面に埋め込まれる下部本体（１２）と、下部本体の上側に配置され、下部本体の上面の全部又は一部を被覆する上部本体（１４）と、下部本体と上部本体とを連結するための連結手段（１６）とを備えていることを特徴とする縁石（１０）。連結手段（１６）は好ましくは、下部本体に埋め込まれるアンカーボルトである。【選択図】  図１
2004346556.tif 000002
【特許請求の範囲】
【請求項１】
部分的に地面に埋め込まれる下部本体と、
前記下部本体の上側に配置され、前記下部本体の上面の全部又は一部を被覆する上部本体と、
前記下部本体と上部本体とを連結するための連結手段と、
を備えていることを特徴とする縁石。
【請求項２】
前記連結手段が、ボルト／ナット、雌ねじ付きスリーブのような機械的締結具であることを特徴とする請求項１に記載の縁石。
【請求項３】
前記連結手段が、前記下部本体の上面と前記上部本体の下面に互いに合致するように設けられた凹凸であることを特徴とする請求項１に記載の縁石。
【請求項４】
前記連結手段が、ボルト／ナット、雌ねじ付きスリーブのような機械的締結具と、前記下部本体の上面と前記上部本体の下面に互いに合致するように設けられた凹凸との組合せであることを特徴とする請求項１に記載の縁石。
【請求項５】
前記連結手段が接着剤であることを特徴とする請求項１に記載の縁石。
【請求項６】
前記上部本体が、コンクリート、モルタル、金属材料、又はセラミック材料のいずれかで形成されていることを特徴とする請求項１から５までのいずれか１項に記載の縁石。
【請求項７】
前記上部本体が着色されていることを特徴とする請求項１から６までのいずれか１項に記載の縁石。
【請求項８】
前記下部本体の上面を保護するため、前記下部本体の上面を被覆するための鉄板を更に備えていることを特徴とする請求項１から７までのいずれか１項に記載の縁石。
【発明の詳細な説明】
【０００１】
【発明の属する技術分野】
本発明は一般に、縁石に関する。より詳細には、本発明は、全体ではなく一部のみを交換することができる縁石に関する。
【０００２】
【従来の技術】
道路には、車道と歩道との間に、両者の境界部となる縁石が設置されている。一方、積雪地帯においては、除雪車による除雪が行われるため、縁石の破損事例が頻発しており、雪解け後は、破損した縁石が露出するため、景観が損なわれる事態が発生している。
【０００３】
【発明が解決しようとする課題】
破損した縁石を取り換えるには、通常、縁石全体を交換しなければならないが、縁石自体の重量が６０ｋｇ〜１００ｋｇ程度もあるので、縁石の取り換え工事を一人で行うことが困難であり、複数の作業員が必要となるため、工事に手間がかかるという課題がある。また、縁石の下部に損傷がない場合であっても、縁石全体を取り換えなければならないため、コストがかかるという課題もある。
【０００４】
したがって、本発明の目的は、一部が破損しても破損した部分のみを交換することができる縁石を提供することである。
【０００５】
【課題を解決するための手段】
本願請求項１に記載の縁石は、部分的に地面に埋め込まれる下部本体と、前記下部本体の上側に配置され、前記下部本体の上面の全部又は一部を被覆する上部本体と、前記下部本体と上部本体とを連結するための連結手段とを備えていることを特徴とするものである。
【０００６】
本願請求項２に記載の縁石は、前記請求項１の縁石において、前記連結手段が、ボルト／ナット、雌ねじ付きスリーブのような機械的締結具であることを特徴とするものである。
【０００７】
本願請求項３に記載の縁石は、前記請求項１の縁石において、前記連結手段が、前記下部本体の上面と前記上部本体の下面に互いに合致するように設けられた凹凸であることを特徴とするものである。
【０００８】
本願請求項４に記載の縁石は、前記請求項１の縁石において、前記連結手段が、ボルト／ナット、雌ねじ付きスリーブのような機械的締結具と、前記下部本体の上面と前記上部本体の下面に互いに合致するように設けられた凹凸との組合せであることを特徴とするものである。
【０００９】
本願請求項５に記載の縁石は、前記請求項１の縁石において、前記連結手段が接着剤であることを特徴とするものである。
【００１０】
本願請求項６に記載の縁石は、前記請求項１から５までのいずれか１項の縁石において、前記上部本体が、コンクリート、モルタル、金属材料、又はセラミック材料のいずれかで形成されていることを特徴とするものである。
【００１１】
本願請求項７に記載の縁石は、前記請求項１から６までのいずれか１項の縁石において、前記上部本体が着色されていることを特徴とするものである。
【００１２】
本願請求項８に記載の縁石は、前記請求項１から７までのいずれか１項の縁石において、前記下部本体の上面を保護するため、前記下部本体の上面を被覆するための鉄板を更に備えていることを特徴とするものである。
【００１３】
【発明の実施の形態】
次に図面を参照して、本発明の好ましい実施の形態に係る縁石について説明する。図１は、本発明の第１の実施の形態に係る縁石の側面図である。図１において全体として参照符号１０で示される本発明の第１の実施の形態に係る縁石は、部分的に地面に埋め込まれる下部本体１２と、下部本体１２の上側に配置され、下部本体１２の上面全体を被覆する上部本体１４と、下部本体１２と上部本体１４とを連結するための連結手段１６とを備えている。
【００１４】
下部本体１２は、側面視で（通常は車道側に位置する）一方の側面１２ａが傾斜している。また、下部本体１２の上面は、第１面１２ｂと第１面１２ｂよりも低いところに位置する第２面１２ｃとによって構成される階段状の形状を有している。なお、下部本体１２は、コンクリート又はモルタルで形成されている。
【００１５】
上部本体１４は、下部本体１２と補足し合う形状を有している。すなわち、上部本体１４は、下部本体１２の側面１２ａと同じ側の側面１４ａが傾斜している。また、上部本体１４の下面は、上部本体１４を下部本体１２の上側に配置したとき、下部本体１２の階段状の上面に合致するような階段状の形状を有している。さらに、上部本体には、上部本体１４を下部本体１２の上側に配置したとき、後述する連結手段１６が貫通するスロット孔１４ｄが設けられている。なお、上部本体１４は、コンクリート又はモルタルで形成されている。
【００１６】
連結手段１６は、下部本体１２の第１面１２ｂから垂直方向上方に突出したアンカーボルトと、下部本体１２の第１面１２ｂと第２面１２ｃとの間の個所から水平方向側方に突出したアンカーボルトとを有しており、アンカーボルトの先端には雄ねじが設けられ、雄ねじにはナットが螺合されている。
【００１７】
以上のように構成された縁石１０の使用に際しては、まず、図２（ａ）に示されるように、破損した上部本体１４を取り外し、破損していない新しい上部本体１４を下部本体１２の上に載せ（図２（ｂ）参照）、アンカーボルト１６にナットを螺合させて上部本体１４を下部本体１２にしっかりに固定する（図２（ｃ）参照）。
【００１８】
図３は、本発明の第２の実施の形態に係る縁石２０を示した側面図である。縁石２０は、下部本体の上面の一部が露出している点を除いて、縁石１０と実質的に同一の構成を有している。すなわち、縁石２０は、部分的に地面に埋め込まれる下部本体２２と、下部本体２２の上側に配置され、下部本体２２の上面の一部を被覆する上部本体２４と、下部本体２２と上部本体２４とを連結するための連結手段２６とを備えている。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
例えば、下部本体の上面を保護するため、図４に示されるように、下部本体１２の上面を鉄板１８で被覆してもよい。
【００２１】
また、前記実施の形態において、上部本体と下部本体とを連結する連結手段として、下部本体に埋め込まれたアンカーボルトが使用されているが、図５に示されるように、下部本体に雌ねじ付きスリーブ３０を埋め込み、雌ねじ付きスリーブ３０にボルト３２をねじ込むことによって連結してもよい。また、図５に示されるように、上部本体に凸部３４を設け、下部本体の対応する個所に合致する凹部３６を設けることによって連結してもよい（この場合、上部本体に凹部を設け、下部本体に凸部を設けてもよい）。
【００２２】
また、図６に示されるように、上部本体にＴ字形の横断面を有するプレート部材４０を埋め込み、下部本体の対応する個所にプレート部材４０が挿入される凹部４２を設け、下部本体の水平方向に延びた孔４４に雄ねじ付きボルト４６を挿入して、プレート部材４０の雌ねじ付き孔４０ａにねじ込むことによって連結してもよい。
【００２３】
さらに、連結手段として接着剤を使用してもよい。
【００２４】
また、前記実施の形態において、上部本体がコンクリート又はモルタルで形成されているが、上部本体を鋼などの金属材料又はセラミック材料で形成してもよい。さらに、景観を華やかなものにするため、上部本体に着色してもよい。
【００２５】
【発明の効果】
本発明により、縁石の上面が破損した場合であっても、縁石全体を交換せずに、縁石の上部本体のみを交換すれば足りるので、コストの低減を図ることができる。また、上部本体のみの交換作業で済むので、一人の作業員で交換作業を行うことができる。
【図面の簡単な説明】
【図１】本発明の第１の実施の形態に係る縁石を示した側面図である。
【図２】図１の縁石の交換手順を示した一連の図である。
【図３】本発明の第２の実施の形態に係る縁石を示した側面図である。
【図４】図１の縁石の変形形態を示した側面図である。
【図５】連結手段の変形形態を示した図である。
【図６】連結手段の別の変形形態を示した図であって、（ｂ）は（ａ）の線６ｂ−６ｂに沿った断面図である。
【符号の説明】
１０、２０  縁石
１２、２２  下部本体
１４、２４  上部本体
１６、２６  連結手段
【図１】
2004346556.tif 000003
【図２】
2004346556.tif 000004
【図３】
2004346556.tif 000005
【図４】
2004346556.tif 000006
【図５】
2004346556.tif 000007
【図６】
2004346556.tif 000008